(57)【要約】【課題】      ズボン裾カバーと、カバー部および／または内カバー部の下端周面の対向する２ヶ所に縦方向に折り曲げた状態を記憶形成した一対の山折線を設け、使用時にズボン裾の内側のカバーが下側に折れ曲がって変形することを防ぐことができるズボン裾カバーを提供する。【解決手段】      膝周辺から裾部にかけてのズボンの裾をカバーするズボン裾カバーが、布またはシート状の防水性素材を用いた円筒形のカバー部と、カバー部を脚部の膝周辺に係止する係止手段と、カバー部の内側にカバー部の下端部と連続して設けられ内側に折り返される布またはシート状の防水性素材からなる円筒形の内カバー部と、カバー部および／または内カバー部の下端周面の対向する２ヶ所に縦方向に折り曲げた状態を記憶形成した一対の山折線とからなる構成である。【選択図】  図１
2006299451.tif 000002
【特許請求の範囲】
【請求項１】
膝周辺から裾部にかけてのズボンの裾をカバーするズボン裾カバーが、
布またはシート状の防水性素材を用いた円筒形のカバー部と、
該カバー部を脚部の膝周辺に係止する係止手段と、
前記カバー部の内側にカバー部の下端部と連続して設けられ内側に折り返される布またはシート状の防水性素材からなる円筒形の内カバー部と、
前記カバー部および／または内カバー部の下端周面の対向する２ヶ所に縦方向に折り曲げた状態を記憶形成した一対の山折線と、
からなることを特徴とするズボン裾カバー
【請求項２】
前記山折線は、熱処理により折り曲げ状態を記憶して形成したことを特徴とする前記請求項１記載のズボン裾カバー
【請求項３】
前記内カバー部は、
内カバー部の上端部を足首よりやや上に係止するために、内カバー部の上端部を折り返して一周する袋部を形成するとともに袋部に弾性を有した部材からなる紐状体を挿通した内カバー部係止手段を設けたことを特徴とする前記請求項１乃至２記載のズボン裾カバー
【請求項４】
前記内カバー部は、適宜の弾性を有し容易に折れ曲がることのない樹脂素材からなることを特徴とする前記請求項１乃至２記載のズボン裾カバー
【請求項５】
前記内カバー部は、下端部から上端部にかけて徐々に縮径する円筒形状であることを特徴とする前記請求項１乃至４記載のズボン裾カバー
【発明の詳細な説明】
【技術分野】
【０００１】
本発明は、ズボンの裾部を雨水や泥などから保護するズボン裾カバーに関する。
【背景技術】
【０００２】
雨天時等に着用する雨具は、全身を覆う構成のものから特定の部位にのみ装着する構成のものまで、多種多様な構成が提案されている。特に、膝周辺から足首にかけてを覆う雨具としては、実公昭３０−００２２４４号や実全昭６１−０３９１１４号に開示されているような形状のズボン裾カバーが知られている。
ズボン裾カバーは、基本的には防水性素材などからなる円筒形状であり、上端部にズボン裾カバーを膝周辺に固定する手段を設けた構成である。上端部を固定する方法としては、実公昭３０−００２２４４号のように止ピンで止着する構成や、実全昭６１−０３９１１４号のように上端部に絞りを設けて膝周辺に係止する方法が一般的である。
また、カバーの下端部を内側上方向に折り返した構成のズボン裾カバーも存在している。例えば、実公昭３０−００２２４４号は、カバー部材の下端部に係止手段（弾性片）を設けるとともに、係止手段の上部に厚めのビニール素材からなる輪環を設けて下端部を折返し、ズボン裾カバーの折返した部分をズボンの下端部よりもやや上方に位置させて装着する構成である。このように、カバーを折り返して、ズボンの裾よりも上方に位置させた構成であれば、ズボン裾が濡れることをほぼ防ぐことが出来る。
【０００３】
しかし、実公昭３０−００２２４４号のズボン裾カバーは、歩行に伴って係止手段が徐々に下側にずれてしまい、内側のカバーの形状が崩れて下に折れ曲がってしまうという問題点があった。また、係止手段（弾性片）と輪環を設けた複雑な構成で部品数が多いため、製造工程が複雑化し、材料費や製造費用が嵩張ってコスト高となるという問題点もあった。さらに、輪環を設けた構成は、輪環が邪魔になって鞄などに収納しづらく、携帯性にも問題があった。
例えば、実公昭３０−００２２４４号のズボン裾カバーは、輪環を取り除いたとしても雨具としての機能性は大きく低下しないと考えられるため、携帯性を高める目的で輪環を設けない構成とすることは考えられる。しかし、係止手段（弾性片）を取り除くと、折り返された内側のカバーが容易に下側に折れ曲がってしまうという問題が発生する。このため、下端部を内側に折り返す構成のズボン裾カバーにおいて、実公昭３０−００２２４４号の弾性片のように足首より上方に端部を固定する手段は必要不可欠の構成であり、これ以上の簡便な構成を実現することは難しいと考えられていた。
【０００４】
より簡易な構成であっても、降雨の使用時に内側のカバーが下側に折れ曲がることを防ぐことができる型崩れしないズボン裾カバーの開発が待たれていた。
【特許文献１】実公昭３０−００２２４４号
【特許文献２】実全昭６１−０３９１１４号
【発明の開示】
【発明が解決しようとする課題】
【０００５】
上記問題を解決するために、本件発明のズボン裾カバーは、ズボン裾カバーと、カバー部および／または内カバー部の下端周面の対向する２ヶ所に縦方向に折り曲げた状態を記憶形成した一対の山折線を設け、使用時にズボン裾の内側のカバーが下側に折れ曲がって変形することを防ぐことができるズボン裾カバーを提供することを目的としている。
【課題を解決するための手段】
【０００６】
上記目的を達成するために本発明に係るズボン裾カバーは、膝周辺から裾部にかけてのズボンの裾をカバーするズボン裾カバーが、布またはシート状の防水性素材を用いた円筒形のカバー部と、該カバー部を脚部の膝周辺に係止する係止手段と、前記カバー部の内側にカバー部の下端部と連続して設けられ内側に折り返される布またはシート状の防水性素材からなる円筒形の内カバー部と、前記カバー部および／または内カバー部の下端周面の対向する２ヶ所に縦方向に折り曲げた状態を記憶形成した一対の山折線とからなる構成である。
また、前記山折線は、熱処理により折り曲げ状態を記憶して形成した構成である。
【０００７】
前記内カバー部は、内カバー部の上端部を足首よりやや上に係止するために、内カバー部の上端部を折り返して一周する袋部を形成するとともに袋部に弾性を有した部材からなる紐状体を挿通した内カバー部係止手段を設けた構成でもある。また、前記内カバー部は、適宜の弾性を有し容易に折れ曲がることのない樹脂素材からなる構成でもある。さらに、前記内カバー部は、下端部から上端部にかけて徐々に縮径する円筒形状である。
【発明の効果】
【０００８】
本発明に係るズボン裾カバーは、上記詳述した通りの構成であるので、以下のような効果を奏する、
１．山折線を備えた為、内カバーを足首などに係止する手段を設けなくとも、使用時に内カバーが下側に折れ曲がることを防ぐことが出来る。
２．山折線を容易に記憶形成することが出来る。
３．雨が激しく降っている場合でも、跳ね上がった雨水が内カバー部４０の上端部から浸入することを、より確実に防ぐことが出来る。
４．内カバー部に適宜の弾性を有し容易に折れ曲がることのない樹脂素材を採用することにより、使用時に内カバーが下側に折れ曲がるのを、より確実に防ぐことが出来る。
５．内カバー部を下端部から上端部にかけて徐々に縮径する円筒形状に形成することで、内カバー部上端を縮径する係止手段を設けなくとも、跳ね上がった雨水などが浸入するのを防ぐことが出来る。
【発明を実施するための最良の形態】
【０００９】
以下、本発明にかかるズボン裾カバーを、図面に基づいて詳細に説明する。図１は、本発明のズボン裾カバーの使用時の概略図である。また、図２は本発明の実施例１のズボン裾カバーの側面の断面図であり、図３は本発明の実施例２のズボン裾カバーの側面の断面図であり、図４は本発明の中カバー部係止手段の拡大図である。
本発明のズボン裾カバー１０は、カバー部２０と、係止手段３０と、内カバー部４０と、山折線５０とからなる。図１に示すように、本発明のズボン裾カバーを使用する際には、カバー部２０と内カバー部４０との間にズボンの裾を挟むようにして装着する。
【実施例１】
【００１０】
図２を用いて、実施例１のズボン裾カバーについて詳説する。図２のズボン裾カバーは、カバー部２０と、係止手段３０と、内カバー部４０と、山折線５０とからなる構成である。
カバー部２０は、布またはシート状の防水性素材からなり、上下が開口した円筒形の構成である。カバー部の材質は、防水性を有した布やシート状の材質であって、後述する山折線５０の形態を適宜の手段により記憶形成可能な素材であれば特に限定されず、適宜の材質を選択することができる。例えば、ポリエステルやナイロン等を用いた防水性繊維や、ゴムなどの樹脂材からなるシートなどを使用することが可能である。カバー部２０の形状は、上下が開口した筒状の形状であればよく、完全な円筒形でなくとも良い。例えば下方向に向かって徐々に径が大きくなる形状等などを採用することも可能である。
本発明のズボン裾カバー１０は、特定のサイズに限定されず、適宜の大きさに設定することが出来る。従って、カバー部材の径や長さは、人体の膝周辺から踝の周辺を覆うことが出来る大きさに設定すればよく、特定のサイズには限定されない。例えば、大人用や子供用など、対象とする使用者によって様々なサイズに形成することが可能である。
【００１１】
係止手段３０は、カバー部２０を膝周辺に係止する手段である。この実施例では、カバー部２０の上端部を折り返して袋状にし、ゴムなどの弾性素材からなる紐状体を挿通して円環状に形成した構成である。係止手段３０は、カバー部２０を膝周辺に係止できれば特定の形状には限定されず、従来技術などを応用適用して適宜の係止手段を設ければよい。例えば、この実施例のように構成してもよいし、カバー部２０の上端部付近に面ファスナや止ピンなどを設け、これらを用いて膝周辺に止着する構成とすることも出来る。
【００１２】
内カバー部４０は、カバー部２０の内側にカバー部の下端部と連続して設けられ、内側に折り返される布またはシート状の防水性素材からなる円筒形状の部材である。内カバー部４０とカバー部２０に同じ素材を用いる場合は、カバー部２０を延長し、ズボン裾カバー１０の下端部で内側に折り曲げた構成とすることも可能である。例えば、この実施例の内カバー部４０は、カバー部２０の下端部を折り返して形成した構成である。カバー部２０が比較的折れ曲がりやすい薄い素材で形成されている場合は、内カバー部４０を二度折り返した二重構造としたり、内カバー部４０に別の布またはシート状部材を重ねて剛性を補強した構成とすることも考えられる。なお、この実施例のように形成する場合は、内カバー部４０を折り曲げた状態を形状記憶した構成とすることが望ましい。内カバー部２０を内側に折り曲げた状態に形状記憶する方法としては、後述する山折線５０と同様に熱処理などの方法を用いて行うことができる。
【００１３】
内カバー部４０は、カバー部２０と同じ素材を用いた構成としてもよいが、異なる素材を用いた構成としてもよい。内カバー部４０とカバー部２０に異なる素材を用いる場合は、内カバー部４０をカバー部２０の下端部に接合または縫合し、カバー部２０と接合または縫合した部位の付近で内カバー部を内側に折り返した構成とすればよい。内カバー部に使用することが出来る素材は、カバー部材と同様に布またはシート状の防水性素材であればよく、適宜選択することが出来る。また、内カバー部４０の材質に適宜の弾性を有し容易に折れ曲がることのない樹脂素材を用いた構成とすることも可能である。容易に折れ曲がることのない樹脂素材を用いた構成であれば、内カバー部４０が容易に折れ曲がることがないため、内カバー部がカバー部の下端部より下側に折れ曲がるのをより確実に防ぐことが出来る。内カバー部４０に用いる樹脂素材は、容易に折れ曲がってカバー部の下端から下に露出しない程度の剛性を有していれば良く、型崩れのしにくい素材であれば特定の樹脂に限定されず適宜の樹脂材を選択することが出来る。例えば、塩化ビニル樹脂やＰＥＴ(ポリエチレンテフタレート)樹脂等を用いることが考えられるが、容易に折れ曲がることが無い樹脂材であれば自由に選択可能である。ただし、内カバー部にあまりに硬質に形成した樹脂を用いると、使用感を損ねる恐れがある。従って、使用感を損ねることなく、かつ容易に折れ曲がることが無い樹脂を用いることが望ましい。
【００１４】
山折線５０は、カバー部２０と内カバー部４０の両方またはそのどちらかの下端周面の対向する２ヶ所に縦方向に折り曲げた状態を記憶して形成されている。
山折線５０を設けないズボン裾カバーにおける下端部の開口の形状は略円形である。この状態では、内カバー部を折り返した状態に維持しようとする力が弱く、容易に折返しが元に戻りやすい。本発明のように、山折線５０を設けた場合は、山折線５０の周辺に山折形状を維持しようとする力が作用する。例えば、内カバー部４０を元に戻そうとした場合、山折線５０の周辺では山折形状を維持しようとする力が作用して折返しを元に戻す力に抵抗し、内カバー部４０は下側に折れ曲がって折返しがなくなりにくくなる。また、カバー部２０に設けた山折線は、ズボン裾カバー部を略菱形状に保持しようとするため、内側の内カバー部４０が変形しにくくなる。
【００１５】
この実施例の山折線５０は、ズボン裾カバー１０の上端部から下端部にかけて設けられている。山折線５０は、カバー部２０と内カバー部４０の下端部付近に設けられ、内カバー部の折り返しが元に戻るように下側に折れ曲がるのを防ぐことができる程度の範囲で設けられていればよい。従って、下端部付近だけに設けられた構成であれば足りるが、全体に亘って設けた構成とすることも当然に可能である。
また、本発明では、周面の対向する２ヶ所に設けた構成としているが、山折線を一つだけ設けた構成とすることも考えられる。しかし、片方だけに設けた構成では、山折線５０を設けていない側の周面の折り返しが折れ曲がりやすくなる。内カバー部４０が確実に下側に折れ曲がらないようにするためには、対向する２ヶ所に山折線を設けた構成とすることが望ましい。なお、２つ以上の山折線を設けた構成とすることも可能であるが、対向する２ヶ所に設けた構成でも十分に足りると考えられる。
【００１６】
山折線５０を形成する方法は、カバー部２０または内カバー部４０に山折線の形状を記憶形成することができれば特に限定されず、適宜の方法を用いることが出来る。本発明では特に熱処理により形状を記憶形成する構成としている。熱処理の方法は、山折線を記憶形成することが出来ればどのような方法であってもよい。例えば、アイロンやプレスなどによる加熱処理方法が知られており、カバー部２０や内カバー部４０の材質等に応じて適宜の熱処理方法を採用することが出来る。また、熱処理以外にも、カバー部２０や内カバー部４０に容易に折れ曲がることのない樹脂材を採用し、それぞれ成形段階で山折線を同時に形成することも可能であるが、製造工程が複雑化する問題があると考えられる。熱処理によって形状を記憶形成する方法は、最も効率的かつ容易な方法であると考えられ、製造コストの面で有利である。
なお、内カバー部４０に比較的硬質な樹脂素材を用いた場合は、山折線５０を設けなくとも折り返しが下側に折れ曲がって元に戻ることを防ぐことができる場合がある。しかし、先述の通り、内カバー部にあまりに硬質な樹脂を用いると使用感を損ねる恐れがあるため、樹脂材は使用感を損ねない程度に柔軟な素材を採用することが望ましい。このような樹脂材を採用する場合であっても、山折線５０を設けることで内カバー部４０が下側に折れ曲がることを確実に防ぐことが出来る。
【実施例２】
【００１７】
図を用いて、本発明の実施例２のズボン裾カバーについて詳説する。この実施例のズボン裾カバーは、カバー部２０と、係止手段３０と、内カバー部４０と、山折線５０と、内カバー部係止手段６０とからなる。実施例１との違いは、内カバー部係止手段６０を設けた点である。以下、実施例１との相違点を中心に、実施例２のズボン裾カバーについて説明する。
【００１８】
内カバー部係止手段６０は、内カバー部４０の上端部を折り返して一周する袋部６２を形成するとともに、袋部６２に弾性を有した部材からなる紐状体６４を挿通した構成である。内カバー部の上端部を紐状体で絞ることにより、内カバー部を足首上方に係止する。
本発明によれば、山折線５０を設けたことにより、内カバー部４０が下側に折れ曲がるのをほぼ防ぐことが出来ると考えられる。しかし、雨が激しく降っている場合は、跳ね上がった雨水が内カバー部４０の上端部から浸入する可能性が考えられる。内カバー部係止手段６０は、内カバー部４０が下側に折れ曲がらないようにする以外に、このような雨水の浸入を確実に防ぐ効果を奏する。したがって、多少構成は複雑となるが、内カバー部係止手段を設けた構成としても良い。また、山折線５０を設けているため、内カバー部４０が折れ曲がりにくく、従来の内カバー部係止手段を設けただけの構成よりも、内カバー部４０の折り返しが下側に折れ曲がるのを確実に防ぐことが出来る。
【００１９】
袋部６２は、内カバー部４０の上端部周縁を一周して形成された袋状の部位であり、内カバー部４０の上端部を下方向に折り返し、適宜の方法により折り返した端部を内カバー部４０の周面に固定して形成する。折り返した端部を固定する方法は、糸で縫合するか、または接着剤などで接合する方法など、適宜の方法を用いればよく、特に限定されない。
紐状体６４は、弾性を有した紐体である。内カバー部４０の上端部周縁を一周して設けられた袋部に挿通し、上端部に絞りを形成する。この実施例では、紐状体６４を袋部６２に一周して挿通し、閉じた円環状に形成した最も単純な構成である。また、袋部６２に切欠を設けて、紐状体を一周して挿通させるとともに切欠から紐状体の両端を適宜の長さだけ露出させた構成とすることも可能である。使用者は、ズボン裾カバー装着時に紐状体の露出した両端部を結び、内カバー部係止手段の絞りを適宜の強さに調節して使用することが出来る。
なお、紐状体６４の両端部を露出させて使用者が両端部を結んで使用する構成とした場合は、紐状体６４に弾性材以外を採用することも考えられるが、歩行時の足首の動きを制限しないためには、弾性体を用いてある程度の伸縮が可能な構成とすることが望ましい。
【図面の簡単な説明】
【００２０】
【図１】本発明のズボン裾カバーの使用時の概略図
【図２】本発明の実施例１のズボン裾カバーの側面の断面図
【図３】本発明の実施例２のズボン裾カバーの側面の断面図
【図４】本発明の中カバー部係止手段の拡大図
【符号の説明】
【００２１】
１０  ズボン裾カバー
２０  カバー部
３０  係止手段
４０  内カバー部
５０  山折線
６０  内カバー部係止手段
６２  袋部
６４  紐状体
【図１】
2006299451.tif 000003
【図２】
2006299451.tif 000004
【図３】
2006299451.tif 000005
【図４】
2006299451.tif 000006